(57)【要約】【課題】筺体の設計自由度を上げつつ補強用ブラケットの固定トルクを増加することが可能なプロジェクタ装置の提供を目的とする。【解決手段】アイ／オーケース１８のロック機構のロック軸と嵌合する第一の挿入孔１８ａを補強するための第二の挿入孔を形成する補強面３０ｂと展開面３０ｃとから構成される補強用ブラケット３０をアイ／オーケース１８に形成された位置決め部１８ｂにて位置決めする。この状態で、トップケース１７とボトムケース１６に収容されたシールドフレーム１４に、ネジ２０を用いて制御用基板１２と友締めして固定する。【選択図】図４
2008020551.tif 000002
【特許請求の範囲】
【請求項１】
ランプからの光源を基にＲＧＢの光映像を生成して投射レンズから投射する光学系と、  上記光学系を制御するための制御用基板と、
電源を供給するための電源基板と、
上記制御用基板と電源基板を後方に配置し、上記光学系を前面に配置する底面の前方側より垂直方向に立設する側壁を形成し、上記側壁より上記投射レンズの映像投射側を露出させて配置するボトムケースと、天井面の両端より垂直方向に延設してコの字断面を形成するとともに、上記ボトムケースの投射レンズが配置される面を前面とした際、上記ボトムケースの左右両端に上記コの字断面を形成する両側壁が配置され筺体の左右側面を形成するトップケースと、横断面が円弧を描く矩形形状であって、盗難防止用に取り付けられるロック機構のロック軸が挿入して嵌合する長孔形状の第一の挿入孔を有し、上記ボトムケースと上記トップケースとを組み合わせて所定の面を形成した際、上記ボトムケースの前面と対向する後方に形成された開口を塞ぐように固定されるアイ／オーケースとで形成された筺体と、
上記制御用基板を配置する配置面と、上記配置面の端部から垂直方向に延設した脚部とを有し、上記電源基板の上方に覆いかぶさるよう上記ボトムケースの底面とネジ止めすることで、上記電源基板の上方に上記制御用基板を配置するシールドフレームとを有し、
上記アイ／オーケースの第一の挿入孔に上記ロック機構のロック軸を挿入して嵌合することで施錠を行うプロジェクタ装置において、
上記ロック機構のロック軸が挿入して嵌合する長孔形状の第二の挿入孔を有する補強面と、上記補強面から垂直方向に延設する展開面とから形成され、上記補強面の第二の挿入孔を上記アイ／オーケースの第一の挿入孔と重ねることで上記挿入孔の強度の補強を行う補強用ブラケットを有し、
上記アイ／オーケースは、筺体内側に配置される面より立設する位置決め部の位置決め溝により、上記補強用ブラケットの展開面の外周を挿入して、上記補強面の第二の挿入孔を上記第一の挿入孔と重ねるとともに、上記展開面を前方に突出させるように位置決めし、
上記補強用ブラケットを、上記位置決め用溝にてアイ／オーケースに位置決した状態で、上記展開面を上記制御用基板と友締めして上記シールドフレームに固定され、上記アイ／オーケースに形成された第一の挿入孔の補強を行うことを特徴とするプロジェクタ装置。
【請求項２】
盗難防止用のロック機構のロック軸を挿入するための第一の挿入孔を側壁に形成する筺体と、
上記筺体に固定されて、制御用基板を上記筺体の所定の位置に配置する金属製のシールドフレームとを有するプロジェクタ装置において、
上記ロック機構のロック軸が挿入する第二の挿入孔を有する補強面と、上記補強面から垂直方向に延設する展開面とから形成され、上記補強面の第二の挿入孔を上記筺体の第一の挿入孔と重ねることで上記第一の挿入孔の補強を行う補強用ブラケットと、
上記筺体の側壁内側に形成され、上記第二の挿入孔を上記第一の挿入孔と重なるように筺体に位置決めする位置決め手段を有し、
上記補強用ブラケットは、上記位置決め手段にて位置決めされた状態で、上記展開面を上記シールドフレームとネジ止めすることで、上記第一の挿入孔の補強を行うことを特徴とするプロジェクタ装置。
【請求項３】
上記補強用ブラケットは、ネジにより上記制御用基板と友締めされて上記シールドフレームに固定されることを特徴とする請求項２に記載のプロジェクタ装置。
【請求項４】
上記ネジは座付きネジであって、上記ネジの座の外周面にて上記展開面を上記位置決め手段が形成された側壁側に押力を加えることで固定することを特徴とする請求項２に記載のプロジェクタ装置。
【請求項５】
盗難防止用のロック機構のロック軸を挿入するための第一の挿入孔を側壁に形成する筺体と、
制御用基板を配置する配置面を有するとともに、上記筺体に固定されて制御用基板を上記筺体の所定位置に配置するための金属製のシールドフレームとを有するプロジェクタ装置において、
上記シールドフレームは、上記配置面の一端から延設する展開面と、上記展開面の端部より垂直方向に屈曲するとともに、上記ロック機構のロック軸が挿入するための第二の挿入孔を有する補強面とを有し、上記筺体に固定された際、上記第一の挿入孔が形成される側壁側に上記展開面の延設方向を向けつつ、上記補強面の第二の挿入孔が上記第一の挿入孔と重なるよう固定されて、上記第一の挿入孔の補強を行うことを特徴とするプロジェクタ装置。
【発明の詳細な説明】
【技術分野】
【０００１】
本発明は、プロジェクタ装置に関し、特に、盗難防止用の補助器具を使用するプロジェクタ装置に関する。
【背景技術】
【０００２】
現在プロジェクタ装置やノートパソコン等の比較的持ち運びが可能な家電製品の盗難対策として以下に記すロック機構が知られている。図７は、ロック機構により施錠を行うプロジェクタ装置を表した図である。ロック機構１は、ケンジントンロックとも呼ばれ、プロジェクタ装置と机等の不動体または他のプロジェクタ装置に連結させて盗難を防止するためのものである。ロック機構１の構成としては、プロジェクタ装置２に形成された挿入孔２ａに挿入して嵌合するロック軸１ａ、上記ロック軸１ａを保持するとともに、別体の鍵部１ｂと嵌合して上記ロック軸１ａのロック動作を行う本体部１ｃと、上記本体部１ｃに固定されて、不動体と固定されるためのワイヤー部１ｄとを有している。上述した構成により、プロジェクタ装置２の挿入孔２ａにロック機構１のロック軸１ａを挿入した後、本体部１ｃに形成された鍵穴に鍵部１ｂを嵌合させた状態で略９０度回転させる。これにより、ロック軸１ａが先端に形成された突出片１ａ１もろともプロジェクタ装置２の内側で９０度回転する。このとき、ロック軸１ａの突出片１ａ１の先端から他方の突出片１ａ１の先端までの長さは挿入孔２ａの短い径（上下方向の径）よりも大きくなるため、突出片１ａ１がプロジェクタ装置１０の内壁と干渉してプロジェクタ装置２とロック機構１とを固定する。
【０００３】
上述したロック機構は盗難防止の用途を有しているため、プロジェクタ装置２の挿入孔２ａ周辺の面はロック機構１を強い力で引っ張ったり、押し出したりしてもプロジェクタ装置２の側壁が破損して、ロック機構１のロック軸１ａが側壁の破損箇所から抜けないだけの強度を有する必要がある。そのため、プロジェクタ装置２は補強用ブラケット３にて挿入孔２ａ周辺の強度補強を行っている。補強用ブラケット３は、プロジェクタ装置２に形成された挿入孔２ａと略同等の挿入孔が形成されたプレート部３ａと、プレート部３ａと略垂直方向に屈曲することで、補強用ブラケット３の強度を補強する補強板３ｂとを有する構成である。補強用ブラケット３の固定方法は、プロジェクタ装置２に形成された挿入孔２ａとプレート部３ａの挿入孔が重なるよう固定する。これにより、ロック機構１が外部から引っ張られた場合でも、挿入されたロック軸１ａの突出片１ａ１の引っ張り力並びに押力にプレート部３ａが抵抗しプロジェクタ装置２を破損から防止する。そのため、プロジェクタ装置２のアイ／オーケース２ｂには上記補強用ブラケット３を所定の位置で固定するためのブラケット固定部２ｂ１が形成されている。
【０００４】
図８は、アイ／オーケースに形成されるブラケット固定部を表す斜視図である。同図より、ブラケット固定部２ｂ１は、補強用ブラケット３の挿入孔３ａを挿入孔２ａと略一致するよう補強用ブラケット３を筺体に固定するためのものである。そのため、ブラケット固定部２ｂ１は、筺体２ｂから立設して補強用ブラケット３の補強板３ｂの両端部周辺を保持するように形成されたガイド部２ｂ２、２ｂ３と、アイ／オーケース２ｂから補強板３ｂの展開面と略平行になるよう立設するとともに、座付きのネジ４と螺合するボス２ｂ４とを有する構成である。上述した構成のブラケット固定部２ｂ１の補強用ブラケット３の固定方法として、まずガイド部２ｂ２、２ｂ３に形成された溝に補強用ブラケット３の両端部を挿入して、左右方向を位置決めする。次に、ボス２ｂ４にネジ４をネジ止めし、ネジ４の首下にて補強用ブラケット３の上下方向の動きを規制して固定する。これにより、補強用ブラケット３は上下、両端、左右を固定されて筺体に固定される。
【０００５】
このとき、ブラケット固定部２ｂ１のボス２ｂ４に螺合するネジ４は適切なトルクにて管理される必要がある。通常ボス２ｂ４に螺合するネジ４のトルクは８ｋＮ〜１０ｋＮの間で螺合される。そのため、作業者はボス２ｂ４にネジ４を螺合する際、トルクレンチを使用して適切なトルク管理を行っている。ネジ４のトルクとは、ネジ４の皿面下部（首下面）をボスの雌ネジ周縁部と当接するまで締め付けた時に発生するトルクである。この場合、筺体にはネジ４のトルクに耐えることができるだけの応力を必要とする。現在の筺体の材質は樹脂製であり、上述したトルクに耐えるだけの厚みを持たせた設計となっている。
【０００６】
しかしながら、ロック機構１を固定するための補強用ブラケット３を止めるネジ４のトルクは現在のトルク（８ｋＮ〜１０ｋＮ）以上であるほうが望ましい。何故なら、ロック機構１は、引っ張りや押し出しに耐えることができる設計であるため、補強用ブラケット３を固定するネジ４のトルクを増加させることでより大きな引っ張りや押し出しに対応することが可能となる。しかしながら、筺体は製品の外観の印象を左右するため、設計の自由度を持たせることが可能である方が望ましい。具体的には、より薄くすることで製品全体での軽量化を行い持ち運びし易くしたり、スリットを数多く空けて筺体内の冷却効率を高めたりする場合が上げられる。厚み薄くした場合では、当然上述した現在のネジ４の締め付けトルクにアイ／オーケース２ｂが耐えられなくなる可能性もあり、さらには未来のトルクの増加に耐えられなくなる可能性がある。また、スリットを多く空けた場合でも同様である。
【０００７】
部品点数の削減と組み立て工数削減の観点から筺体を固定するビスの取り付け方法を工夫した発明が開示されている。具体的な構成として、ボトムシャーシにトップシャーシを被せてビス止めする構成の筺体において、トップシャーシは、左右側壁に形成された凹部と上記凹部に形成されてビスが挿入する挿入孔と、左右側壁の挿入孔と反対側にボトムシャーシと係合する係合部とを有してる。これにより、トップシャーシをボトムシャーシに固定するのに、ネジを上記挿入孔から挿入してボトムシャーシの対向する雌ネジに固定するとともに、上記係合部によりトップシャーシとボトムシャーシを固定する。これにより、左右側壁を固定するネジの本数を少なくして部品点数の削減と組み立て工数の削減を行う（例えば、特許文献１参照。）。
【特許文献１】特開２００５−３４７４３７
【発明の開示】
【発明が解決しようとする課題】
【０００８】
上述した特許文献１の発明は、筺体を固定するためのネジを削減するためのものである。そのため、補強用ブラケットを固定するためのネジのトルクを増加するためのものではない。そのため、特許文献１の発明では、補強用ブラケットのトルクを増加させるための解決方法とならない。
【０００９】
本発明は、上記課題にかんがみてなされたもので、筺体の設計自由度を上げつつ補強用ブラケットの固定トルクを増加することが可能なプロジェクタ装置の提供を目的とする。
【課題を解決するための手段】
【００１０】
また、上記目的を達成するために、請求項２に記載の発明では、盗難防止用のロック機構のロック軸を挿入するための第一の挿入孔を側壁に形成する筺体と、上記筺体に固定されて、制御用基板を上記筺体の所定の位置に配置する金属製のシールドフレームとを有するプロジェクタ装置において、
上記ロック機構のロック軸が挿入する第二の挿入孔を有する補強面と、上記補強面から垂直方向に延設する展開面とから形成され、上記補強面の第二の挿入孔を上記筺体の第一の挿入孔と重ねることで上記第一の挿入孔の補強を行う補強用ブラケットと、上記筺体の側壁内側に形成され、上記第二の挿入孔を上記第一の挿入孔と重なるように筺体に位置決めする位置決め手段を有し、上記補強用ブラケットは、上記位置決め手段にて位置決めされた状態で、上記展開面を上記シールドフレームとネジ止めすることで、上記第一の挿入孔の補強を行う構成としてある。
【００１１】
上記のように構成した請求項２にかかる発明において、筺体に形成されたロック機構のロック軸が挿入する第一の挿入孔の補強を行うため、補強用ブラケットを第二の挿入孔が上記第一の挿入孔と重なるようにして筺体内に固定する。このとき、筺体は、補強用ブラケットを位置決めするための位置決め手段を有しており、上記位置決め手段により、補強用ブラケットは、第一の挿入孔と第二の挿入孔とが重なるよう位置決めされる。上述した位置決め手段による補強用ブラケットの位置決めの後、位置決めブラケットとの展開面をシールドフレームとネジ止めすることにより、位置決めブラケットは筺体内に固定される。このとき、位置決めブラケットは、金属製の筺体にネジ止めされるため、筺体側にネジ止めのためのトルクの保障をする必要がなく、さらにシールドフレームが金属製のため、十分な締め付けトルクにも耐えることが可能となる。そのため、筺体の設計自由度を上げつつ補強用ブラケットの固定トルクを増加することが可能なプロジェクタ装置を提供することができる。
【００１２】
上述した、補強用ブラケットをシールドプレートにネジ止めする方法の一例として、請求項３にかかる発明では、上記補強用ブラケットは、ネジにより上記制御用基板と友締めされて上記シールドフレームに固定される構成としてある。
上記のように形成することで、補強用ブラケットを固定するネジを制御用基板をシールドフレームと固定するためのネジと共用することが可能となりネジの本数を少なくすることが可能となる。
【００１３】
また、補強用ブラケットをシールドプレートにネジ止めする他の方法の一例として請求項４にかかる発明では、上記ネジは座付きネジであって、上記ネジの座の外周面にて上記展開面に上記位置決め手段が形成された側壁側に押力を加えることで固定する構成としてある。
上記構成では、座付きネジを使用して、座付きネジの座にて補強用ブラケットをアイ／オーケース側に押し出すため、ロック機構を引っ張る方向での力に強い応力を得ることが可能となる。
【００１４】
さらに、補強用ブラケットの構成を工夫した一例として、請求項５にかかる発明は、盗難防止用のロック機構のロック軸を挿入するための第一の挿入孔を側壁に形成する筺体と、制御用基板を配置する配置面を有するとともに、上記筺体に固定されて制御用基板を上記筺体の所定位置に配置するための金属製のシールドフレームとを有するプロジェクタ装置において、
上記シールドフレームは、上記配置面の一端から延設する展開面と、上記展開面の端部より垂直方向に屈曲するとともに、上記ロック機構のロック軸が挿入するための第二の挿入孔を有する補強面とを有し、上記筺体に固定された際、上記第一の挿入孔が形成される側壁側に上記展開面の延設方向を向けつつ、上記補強面の第二の挿入孔が上記第一の挿入孔と重なるよう固定されて、上記第一の挿入孔の補強を行う構成としてある。
【００１５】
上記のような構成では、補強用ブラケットの代わりにシールドフレームの一端を延設して第一の挿入孔を補強する補強面を形成する。これにより、ロック機構のロック軸が第一の挿入孔と第二の挿入孔に挿入して嵌合している間は、筺体とシールドフレームとは一体となるため、筺体を分解してロック機構と当該プロジェクタ装置を分離して、プロジェクタ装置だけを持ち去ることができず、盗難防止効果をより一層高めることが可能となる。
【００１６】
また、上述した構成の発明の具体的な一例として請求項１にかかる発明は、ランプからの光源を基にＲＧＢの光映像を生成して投射レンズから投射する光学系と、上記光学系を制御するための制御用基板と、電源を供給するための電源基板と、上記制御用基板と電源基板を後方に配置し、上記光学系を前面に配置する底面の前方側より垂直方向に立設する側壁を形成し、上記側壁より上記投射レンズの映像投射側を露出させて配置するボトムケースと、天井面の両端より垂直方向に延設してコの字断面を形成するとともに、上記ボトムケースの投射レンズが配置される面を前面とした際、上記ボトムケースの左右両端に上記コの字断面を形成する両側壁が配置され筺体の左右側面を形成するトップケースと、横断面が円弧を描く矩形形状であって、盗難防止用に取り付けられるロック機構のロック軸が挿入して嵌合する長孔形状の第一の挿入孔を有し、上記ボトムケースと上記トップケースとを組み合わせて所定の面を形成した際、上記ボトムケースの前面と対向する後方に形成された開口を塞ぐように固定されるアイ／オーケースとで形成された筺体と、上記制御用基板を配置する配置面と、上記配置面の端部から垂直方向に延設した脚部とを有し、上記電源基板の上方に覆いかぶさるよう上記ボトムケースの底面とネジ止めすることで、上記電源基板の上方に上記制御用基板を配置するシールドフレームとを有し、上記アイ／オーケースの第一の挿入孔に上記ロック機構のロック軸を挿入して嵌合することで施錠を行うプロジェクタ装置において、
上記ロック機構のロック軸が挿入して嵌合する長孔形状の第二の挿入孔を有する補強面と、上記補強面から垂直方向に延設する展開面とから形成され、上記補強面の第二の挿入孔を上記アイ／オーケースの第一の挿入孔と重ねることで上記挿入孔の強度の補強を行う補強用ブラケットを有し、上記アイ／オーケースは、筺体内側に配置される面より立設する位置決め部の位置決め溝により、上記補強用ブラケットの展開面の外周を挿入して、上記補強面の第二の挿入孔を上記第一の挿入孔と重ねるとともに、上記展開面を前方に突出させるように位置決めし、上記補強用ブラケットを、上記位置決め用溝にてアイ／オーケースに位置決した状態で、上記展開面を上記制御用基板と友締めして上記シールドフレームに固定され、上記アイ／オーケースに形成された第一の挿入孔の補強を行う構成としている。
【発明の効果】
【００１７】
以上説明したように本発明によれば、筺体の設計自由度を上げつつ補強用ブラケットの固定トルクを増加することが可能なプロジェクタ装置を提供することができる。
また請求項３にかかる発明によれば、ネジの本数を少なくして生産コストを下げるとともに、作業性を高めることが可能となる。
そして請求項４にかかる発明によれば、ロック機構を引っ張る力に対して強い応力を得ることが可能となる。
さらに請求項５にかかる発明によれば、盗難防止効果を高めることができる。
さらに請求項１のような、より具体的な構成において、上述した請求項２〜請求項６の各発明と同様の作用を奏することはいうまでもない。
【発明を実施するための最良の形態】
【００１８】
以下、下記の順序に従って本発明の実施形態であるプロジェクタ装置を説明する。
（１）第一の実施の形態
（２）第一の実施の形態の効果
（３）第二の実施の形態
（４）第二の実施の形態の効果
【００１９】
（１）第一の実施の形態 
以下、図１〜図５を参照して、この発明に係るプロジェクタ装置を具体化した第１の実施の形態について説明する。図１は、プロジェクタ装置１０の構成図である。プロジェクタ装置１０は、パソコン等の外部機器からの入力信号を基に、ランプからの光源よりＲＧＢの光映像を生成し、上記生成した光映像を投射レンズから投射して映像を表示するためのものである。そのため、上記した機能を実現するために、構成要素を収容するための筺体１１と、入力された信号を受付け所定の信号処理を行う制御用基板１２、制御用基板から出力された信号を基に、ランプからの光源よりＲＧＢの光を生成して映像を投射レンズから投射する光学系１３、制御用基板１２を筺体１１の所定箇所に配置されるよう筺体とネジ止めするとともに、制御用基板のグランドとしても作用するシールドフレーム１４と、電源を供給するための電源基板１５とを有する構成である。
【００２０】
筺体１１に収容される制御用基板１２、光学系１３、シールドフレーム１４、さらには電源基板１５の機能の説明を行う。制御用基板１２や、光学系１３の具体的な構成は、本発明とは直接の関係を有しないため概略的な機能の説明のみを行う。制御用基板１２から入力された映像信号は、所定の信号処理を行われた後、光学系１３に出力される。光学系１３は内部に配置されたランプからの光をミラーによって反射させ、投射レンズ１３ａの裏側に配置されたＤＭＤに出力する。ＤＭＤは微小なマイクロミラーを複数に配置し、各マイクロミラーの傾きが制御用基板１２からの映像信号に基づいて変化する。そのため、ＤＭＤに入力された光はマイクロミラーにより所定の角度に反射され投射レンズ１３ａに反射される。そうして入射された光は投射レンズ１３ａから投射されスクリーンに映像を映し出す。
【００２１】
次に、本発明の構成と直接関係のある筺体１１の構成を説明していく。筺体１１の構成は、トップケース１７と、ボトムケース１６と、アイ／オーケース１８とから構成されている。ボトムケース１６は、光学系１３と制御用基板１２をネジ止めしたシールドフレーム１４と、さらには電源基板１５を筺体内の所定の位置に配置するためのものである。図より、ボトムケース１６は、制御用基板１２と電源基板１５を後方に配置し、光学系１３を前面に配置する底面１６ａを有する。シールドフレーム１４は制御用基板１２を配置するための基板配置面１４ａの両端から垂直方向に延設した４本の脚部１４ｂ〜１４ｅにより、電源基板１５を跨ぐようにしてボトムケース１６に固定される。また、ボトムケース１６は底面１６ａの前方側より垂直方に立設する側壁１６ｂを形成している。側壁１６ｂは投射レンズ１３ａの映像投射側を露出させて配置する。
【００２２】
トップケース１７は、筺体１１の上面となる天井面１７ａの両端より垂直方向に延設してコの字断面を形成するとともに、ボトムケース１６の投射レンズ１３ａが配置される面を前面とした際、ボトムケース１６の左右両端を上記コの字断面を形成する両側壁１７ｂ、１７ｃにて覆いかぶさるようネジにて固定される。ボトムケース１６にトップケース１７を固定する方法としては、上述した天井面１７ａと側壁１７ｂ、１７ｃにて形成された空間でボトムケース１６を覆いネジにてボトムケース１６側から固定する。これにより、制御用基板１２、光学系１３、シールドフレーム１４、電源基板１５は、トップケース１７とボトムケース１６にて形成された空間に収容される。
【００２３】
アイ／オーケース１８は、横断面が円弧を描く矩形形状であって、ロック機構１００のロック軸が挿入して嵌合する長孔形状の第一の挿入孔１８ａを有し、ボトムケース１６とトップケース１７とをネジ止めした際、トップケース１７とボトムケース１６にて形成された筺体１１の開口部を塞ぐとともに、ロック機構１００と嵌合するためのものである。アイ／オーケース１８の横断面の円弧形状はプロジェクタ装置１０の外観の見栄えを良くするために本形状となっている。また、アイ／オーケース１８は、盗難防止用のロック機構１００と嵌合するための、第一の挿入孔１８ａを有している。第一の挿入孔１８ａにより、ロック機構１００はアイ／オーケース１８と嵌合し、プロジェクタ装置１０とロック機構１００とを繋ぎ止める。上述したアイ／オーケース１８には、場合によっては筺体１１内の冷却用のスリットが形成されるものであってもよい。
【００２４】
図２は、アイ／オーケースを表す斜視図である。図３は補強用ブラケットを表す斜視図である。同図より、アイ／オーケース１８は、側面内側に第一の挿入孔１８ａを補強するための補強用ブラケット３０を位置決めするための位置決め部１８ｂが形成されている。また、補強用ブラケット３０は、第一の挿入孔１８ａの補強として作用する。同図３より、補強用ブラケット３０は、ロック機構１００のロック軸が挿入して嵌合する長孔形状の第二の挿入孔３０ａが形成された補強面３０ｂと、補強面３０ｂの端部より直角方向に厚みを同じに屈曲した展開面３０ｃとを有する形状である。本発明の補強用ブラケットは、厚みの薄い板金を用いて形成しているが、補強用ブラケットの機能である、第一の挿入孔１８ａの補強を行うものであれば、材質は金属に限定されず適宜変更可能である。
【００２５】
上述した補強用ブラケット３０を位置決めするためにアイ／オーケース１８は位置決め部１８ｂを有する構成である。位置決め部１８ｂは補強用ブラケット３０の上下方向と左右方向の動きを規制するためのものである。本発明の実施の形態での位置決め部１８ｂは、アイ／オーケース１８の筺体内側に配置される面より立設して、補強用ブラケット３０の展開面３０ｃの外周を挿入して、補強面３０ｂの第二の挿入孔３０ａを第一の挿入孔１８ａと重ねるとともに、展開面３０ｃを補強用ブラケット３０の前方側に突出させるように位置決めする位置決め用溝１８ｂ１を有する。これにより、補強用ブラケット３０は第二の挿入孔３０ａをアイ／オーケース１８の第一の挿入孔１８ａと重ねるように位置決めされる。
【００２６】
また、上述した位置決め用溝１８ｂ１を形成するために、位置決め部１８ｂはアイ／オーケース１８より略垂直に延設する第一の基部１８ｂ２と、第一の基部１８ｂ２の外側の端部より垂直方向に延設する断面を形成して、アイ／オーケース１８より延設する第二の基部１８ｂ３と、第二の基部の第一の基部１８ｂ３より延設する端部より第二の基部１８ｂ３の垂直方向に延設する断面を形成する第三の基部１８ｂ４と、第三の基部１８ｂ４の先端より垂直方向に延設する断面を形成する第四の基部１８ｂ５とから形成されている。上述した構成の位置決め部１８ｂは対向する反対側にも形成され、これにより、第一の基部１８ｂ２の下面と第四の基部１８ｂ５の先端とで補強用ブラケット３０の展開面３０ｃの上下方向の動きを規制し、第二の基部１８ｂ３にて展開面３０ｃの左右方向の動きを規制する。
【００２７】
無論、本発明の実施の形態としての位置決め部１８ｂの形状は、展開面３０ｃの上下方向と左右方の動きを規制する形状の一例を示したものである。そのため、位置決め部１８ｂの機能を実現するものであれば上記形状に限定されない。他の一例としては、位置決め部１８ｂを、アイ／オーケース１８から立設する略コの字断面形状とし上記形状の位置決め部１８ｂを対象に配置することで、展開面３０ｃの上下方向と左右方向の動きを規制するものであってもよい。
【００２８】
次に、補強用ブラケット３０を固定する方法を以下に説明する。図４は、筺体１１内で固定される補強用ブラケット３０を表した拡大図である。同図より補強用ブラケット３０は、制御用基板１２をシールドフレーム１４に固定するためのネジ２０にて展開面３０ｃを友締めされている。これにより、補強用ブラケット３０は、位置決め部１８ｂにて上下方向と前後方向の動きを規制し、さらにはネジ２０にて前後方向の動きを規制される。これにより、補強用ブラケット３０は、筺体１１内で適切な箇所に固定されることとなる。このとき、補強用ブラケット３０の展開面３０ｃは、シールドフレーム１４に届くことができる長さであることが望ましい。上述した構成により、補強用ブラケット３０と制御用基板１２とをシールドフレーム１４に一本のネジ２０にて固定することが可能となる。これにより、部品点数を少なくするとともに、ネジ２０を締め付ける時間を短縮して作業性を高めることが可能となる。
【００２９】
また、補強用ブラケット３０の前後方向の動きを規制するために、ネジ２０にて図５に表すよう補強用ブラケット３０を固定するものであってもよい。図５は、筺体内で固定される補強用ブラケットを表す第二の図である。同図より、補強用ブラケット３０は、図４と同様に前後方向をネジ２０にて規制される。ことのき、ネジ２０は座２０ａを有する座付きネジでありまた、補強用ブラケット３０を制御用基板１２と友締めせず、座２０ａの外周面にて補強用ブラケット３０をアイ／オーケース１８側に押し出す。これにより、ネジ２０にて友締めする際と同等の機能を有することが可能となるとともに、座付きのネジ２０を使用して、ネジ２０の座２０ａにて補強用ブラケット３０をアイ／オーケース１８側に押し出すため、ロック機構１００が引っ張られる方向の力に強い応力を得ることが可能となる。また、ネジ２０の構成は、座付きネジに限定されず、ワッシャーや、座金、さらには専用のプレートを用いるものであってもよい。
【００３０】
（２）第一の実施の形態の効果
以上説明したように、補強用ブラケット３０をアイ／オーケース１８で位置決めし、制御用基板１２とネジ２０にてシールドフレーム１４に友締めして固定する。このとき、シールドフレーム１４は、金属製であるため従来の樹脂製のアイ／オーケース１８に比べて応力が大きい。そのため、ネジ２０の締め付けトルクを大きくすることができ、アイ／オーケース１８にネジ止めするのにくらべ、より大きい締め付けトルクにも対応することが可能となる。また、アイ／オーケース１８はネジ２０の締め付けトルクに抵抗する応力を保障する必要がなく、アイ／オーケース１８の形状を自由に設計することが可能となる。さらには、補強用ブラケット３０を固定するためのネジを減らして、生産コストと作業性を向上することが可能となる。
【００３１】
（３）第二の実施の形態
次に、本発明の第二の実施の形態を説明する。第二の実施の形態でのプロジェクタ装置１０は、補強用ブラケット３０をシールドフレーム１４と一体としている。図６は、第二の実施の形態でのプロジェクタ装置１０の内部を表す側面図である。同図より、シールドフレーム１４は、アイ／オーケース１８側に向けて一端を延設して展開面１４ｆを形成するとともに、延設した展開面１４ｆの先端を垂直方向下側に向けて補強面１４ｇを形成している。さらにシールドフレーム１４の補強面１４ｇには、ロック機構１００のロック軸が挿入する挿入孔１４ｅが形成されており、第一の実施の形態での補強用ブラケット３０と同等の機能を有している。
【００３２】
上述した構成のシールドフレーム１４を展開面１４ｆの延設方向をアイ／オーケース１８側に向けてボトムケース１６にネジ止めし、アイ／オーケース１８をトップケース１７とボトムケース１６とで形成した筺体１１の開口を塞ぐよう固定する。このとき、アイ／オーケース１８の位置決め部１８ｂの位置決め用溝１８ｂ１に、シールドフレーム１４の先端である補強面１４ｇを第一の実施の形態と同様に挿入して、補強面１４ｇの第二の挿入孔１４ｅとアイ／オーケース１８の第一の挿入孔１８ａとが重なるようにする位置決めする。そのた、アイ／オーケース１８に形成される位置決め部１８ｂは第一の実施の形態と同様の形状としている。
【００３３】
また、アイ／オーケース１８の位置決め部１８ｂを省略した形状であっても同様な機能を実現することが可能である。この場合、シールドフレーム１４の厚さを十分なものとし、補強面１４ｇに形成される第二の挿入孔１４ｅをアイ／オーケース１８の第一の挿入孔１８ａより若干大きくすることが望ましい。これにより、位置決め部１８ｂの形状を省略することでアイ／オーケース１８の形状をさらに自由に設計することが可能となる。具体的な例として、アイ／オーケース１８の前面に冷却用スリットを無数に形成してプロジェクタ装置１０の筺体１１内での冷却効果を高めることも可能となる。冷却スリットを形成した場合、当然アイ／オーケース１８の強度は低下することとなる。しかしながら、締め付けトルクを保障する必要が生じないため上述した無数の冷却スリットを形成することが可能となる。
【００３４】
（４）第二の実施の形態の効果
以上説明したように、本発明の第二の実施の形態では、第一の実施の形態と同様、筺体（アイ／オーケース１８）の設計自由度を上げつつ、補強用ブラケット３０をシールドフレーム１４と一体としているのでねじ２０の締め付けトルクを増加することが可能となるとともに、さらに盗難防止効果を向上することが可能となる。つまり、ロック機構１００のロック軸を挿入孔に挿入してプロジェクタ装置１０に固定した場合、ロック機構１００のロック軸はシールドフレーム１４の第二の挿入孔１４ｅと嵌合して固定される。そのため、アイ／オーケース１８とボトムケース１６もしくはトップケース１７を固定するネジを緩めて、アイ／オーケース１８ごとロック機構１００をプロジェクタ装置１０と分離させることで、プロジェクタ装置１０を盗もうとしても、ロック機構１００のロック軸はシールドフレーム１４と嵌合したままであるため、プロジェクタ装置１０とロック機構１００とを分離させて盗むことが出来ない。それゆえ、上述した盗難ケースに対しても盗難防止対策を取ることが可能となり盗難防止効果を高めることができる。
【００３５】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００３６】
【図１】プロジェクタ装置の構成図である。
【図２】アイ／オーケースを表す斜視図である。
【図３】補強用ブラケットを表す斜視図である。
【図４】筺体内で固定される補強用ブラケットを表した拡大図である。
【図５】筺体内で固定される補強用ブラケットを表す第二の図である。
【図６】第二の実施の形態でのプロジェクタ装置の内部を表す側面図である。
【図７】ロック機構により施錠を行うプロジェクタ装置を表した図である。
【図８】アイ／オーケースに形成されるブラケット固定部を表す斜視図である。
【符号の説明】
【００３７】
１０…プロジェクタ装置、１１…筺体、１２…制御用基板、１３…光学系、１３ａ…投射レンズ、１４…シールドフレーム、１４ａ…基板配置面、１４ｂ〜１４ｅ…脚部、１４ｆ…展開面、１４ｇ…補強面、１４h…第二の挿入孔、１５…電源基板、１６…ボトムケース、１６ａ…底面、１６ｂ…側壁、１７…トップケース、１７ａ…天井面、１７ｂ、１７ｃ…側壁、１８…アイ／オーケース、１８ａ…挿入孔、１８ｂ…位置決め部、１８ｂ１…位置決め用溝、１８ｂ２…第一の基部、１８ｂ３…第二の基部、１８ｂ４…第三の基部、１８ｂ５…第四の基部、２０…ネジ、２０ａ…座、３０…補強用ブラケット、３０ａ…挿入孔、３０ｂ…補強面、３０ｃ…展開面、１００…ロック機構
【図１】
2008020551.tif 000003
【図２】
2008020551.tif 000004
【図３】
2008020551.tif 000005
【図４】
2008020551.tif 000006
【図５】
2008020551.tif 000007
【図６】
2008020551.tif 000008
【図７】
2008020551.tif 000009
【図８】
2008020551.tif 000010